(57)【要約】【課題】高齢者が健常で介護度が重度にならないことは、生活の質の維持や生きがいに重要であり、予防的に抗加齢・老化防止を行うことが効果的である。しかし、発症を自覚することは少なく、また長期にわたる生活パターンの改善、維持が必要となる。従って、これらに対処するためには、常に予防的な処置を意識して長期にわたり生活に定着することとそれに伴う経費が最小となるような効率的な方法が必要となる。【解決手段】コンシェルジェセンターとその周辺の地域コアを設定し、会員に対して在宅・外出時に各種バイタル、生活行動の通信機能付きセンサーからの情報を測定、収集し、情報処理し、その結果を会員に繰り返し認識させる。地域コア周辺への外出支援とセンターへのウォークイン機能による会話、交流、運動等の機会を提供し、配属されるコンシェルジェがこれらの方策の支援を遠隔、対面にて行うシステム【選択図】図１
2010287195.tif 000002
【特許請求の範囲】
【請求項１】
抗加齢・老化防止に関連する生活及び身体の情報を測定し、それらの計測情報、それらの分析結果及びそれに関連する生活パターンの維持や改善等を示す抗加齢・老化防止のためのエイジングコントロール（以下、ＡＣと称す）情報の提供、次に、コンシェルジェセンターなる施設を設定し、ＡＣ情報に関する相談、会話、アドバイス等を通信にて行う遠隔支援を会員が受けることができ、更に会員が当該施設へ訪問し、ＡＣ情報の獲得、運動トレーニング・会員交流室での会話・趣味サークル等の生きがいを享受でき、これらの集会機能施設、店舗の利用等に関する体験を得ることができるウォークイン機能を有する施設であるコンシェルジェセンターが地域の中央付近に位置して、このコンシェルジェセンターから自宅までの距離に関し当該の会員の過半数の自宅が１．５ｋｍ以内の距離又は徒歩で移動可能な距離にあり、抗加齢・老化防止のＡＣ支援サービスを通信機能により自動的に授与されると同時にコンシェルジェセンターに配置されるコンシェルジェから遠隔及び対面にて受けることができる会員によって構成される地域（以下、地域コアと称す）のＡＣ支援サービスに関するシステム
【請求項２】
請求項１のシステムにおいて、地域コア内に監視カメラとタグセンサー等の位置感知センサーを設置し、会員移動時にタグを携帯することで、位置感知センサー箇所を通過する会員を特定し、主としてコンシェルジェセンターより、歩行移動やＡＣ情報の変化等に関して安心安全移動へのアドバイス、ナビゲーション等の機能を付加できるものとし、更に、記録された映像は、自動追跡、防犯等の地域の安心安全に寄与する機能として活用することができるシステム
【請求項３】
請求項１，請求項２のシステムにおいて、ＡＣ情報を本人に提示する方法として、採取されるＡＣ情報を通信機能により原則常時いつでも閲覧することができるサービス、更に定期的に又は必要に応じて自動的にＡＣ情報を本人に送付する自動アンサーサービス、通信による遠隔支援サービス又はウォークイン機能のサービスをコンシェルジェセンターが稼動時に本人の希望に従って受けるサービスを有するシステム
【請求項４】
請求項１，請求項２、請求項３のシステムにおいて、表示、処理又は記録する機能を行う計測装置、情報伝達装置、情報記録装置、情報処理装置、情報表示装置及び情報処理演算ソフトウェアを有して、個人の生体情報に基づく健康維持及び抗加齢・老化防止に関するＡＣの状態値又はそれらの中間媒介変数値、更に個人情報、生活行動パターンに関する生活行動、実践する運動及び採取した栄養に関する情報又はそれらの中間媒介変数値を、各々の要因寄与を抽出し統計・情報処理による演算により算出し、身体の老化程度を表すＡＣ状態評価値及び老化防止への抑制効果程度を示すＡＣ生活行動度に関するＡＣ関連評価値を求め提示するために、個人のＡＣ関連評価情報を一度定置型の情報記録装置に記録し、情報保全管理を行った上で、提示するシステム
【請求項５】
請求項１，請求項２，請求項３、請求項４のシステムにおいて、契約により、会員の家族への会員のＡＣ情報の一部がいつでも閲覧することができ、コンシェルジェセンターに詳細を問い合わせることができ、更に会員の緊急時の医療機関へのシフトや情報の提供をコンシェルジェ等から当該の家族に通知するシステム
【請求項６】
請求項１，請求項２，請求項３、請求項４、請求項５のシステムにおいて、近隣に配置されている複数の地域コアがお互いに連携し、ＡＣ情報の提供、遠隔支援を共有し、自宅とセンター間の距離の拡大に関し、歩行を個別に支援する装置（歩行を補助する装置や車椅子や電動車等）又は簡易型不定期乗り合い自動車、バスとの併用にてコンシェルジェセンターへの移動を支援することにより、複数地域コア内のコンシェルジェセンターの主要地点へのウォークイン機能を享受できるようにするシステム
【発明の詳細な説明】
【技術分野】
【０００１】地域コア（１）内での抗加齢・老化防止に関する会員への支援が成立する必要があり、第一に、会員の身体状況と生活行動に関する通信機能を持つセンサー（８），（９）に関する技術分野、次に、健康医科学に基づくこれらの情報評価演算に関する技術分野、三番目に地域コア内での移動支援に関する技術分野、四番目に地域コア内での行動支援に関する技術分野等が統合される複雑系システムに関する技術分野が必要となる。
【背景技術】
【０００２】抗加齢・老化防止に関連する生活及び身体の情報を測定し、それらの計測情報、それらの分析結果及びそれに関連する生活パターンの維持や改善等を示す抗加齢・老化防止のためのエイジングコントロール（以下、ＡＣと称す）情報の提供に関するセンサーやそれらの情報収集・通信機能とそれらの情報処理を行う装置や演算ソフトウェアを組合せる技術と、更にＡＣ情報に関する相談、会話、アドバイス等を通信にて行う遠隔支援を会員が受けることができる情報伝達技術と、更にコンシェルジェセンター（３）でのＡＣ情報の獲得、運動・会話・生きがい等に関する体験を得ることができるウォークイン機能への支援を行う社会コミュニケーション技術、運動学的支援技術等と、地域コア内での歩行主体とする移動手段支援に関する装置と社会環境に関する技術等とが、統合して必要となる。
【発明の開示】
【発明が解決しようとする課題】
【０００３】抗加齢・老化防止は、高齢者の生きがいや生活の質の維持し、重度の介護度の状態に移行しないために必要である。また、高齢者の健康や介護に関する社会保障制度の行き詰まりによるサービスの低下や破綻への防止策としての効果が大きい。しかし、病気発症とちがい、自覚症状や症状の結果が緩やかに長期にわたって生じるため、本人自身の強い自覚意識がないと抗加齢・老化防止への方策が行われることは少ない。【０００４】まず、会員がどのような身体状況になっているかの生態情報及びどのような生活パターンで行動しているかの生活情報について、できる限り、その会員の生活に支障がない方式で測定しその情報を個人情報保護されているところに伝達するかが問われる。本人が測定装置を取り外したり、データを改ざんする等が生じるとシステム全体に影響がでる。【０００５】できる限り経費を節減するために、また個人情報保護の観点から、ＡＣ情報は自動的に処理（７）され、その評価も自動的な処理が主体となっているが、決められた論理での処理機能だけでは、ＡＣに関する幅の広さや柔軟性を確保することが困難となる。【０００６】本人の抗加齢・老化防止への現状に関するＡＣ情報をその人が認識しても、その状態の維持や改善をどのように行ってゆくかは、個人的レベルにまかされるため、ばらつきが大きく、効果が期待できない場合が増加する。特に発症などの自覚症状がない場合はその傾向が顕著となる。【０００７】また、抗加齢・老化防止への効果の維持や改善が進行できる場合で、単なる運動介入等の直接の方策だけが提供されると、いずれ、モチベーションや興味の対象がずれて、生活の中での定着が難しくなる場合がでてくる。
【課題を解決するための手段】
【０００８】ここでは、いくつかの解決への関門があり、三段階の方策で課題を解決しようとしている。最初は、会員のＡＣ情報の把握、認識のための手段であり、次がＡＣ状態の維持又は改善に関する手段であり、三番目は、ＡＣ活動の定着に関する手段である。【０００９】ＡＣ情報の課題を解決するための手段として、センサー（８），（９）の装着や設置が意識されないように小型化、違和感のない装着感等と共に、測定に関しても開始操作の簡素化、自動化、更に測定データの送信の簡素化、自動化、また収集されるデータの自動処理システム（７）等による配信等が行われ、常にＡＣ情報が本人に正しく繰り返し認識され、固定化することを目指している。いわゆるユビキタス特性を適用するＡＣ情報の計測、認知システムの手法を用いている。【００１０】しかし、一般には、これらの機能はすべて完全にできていることは難しく、その採用されている技術によって、会員に受け入れやすいユビキタスの度合いを示すユビキタス度のレベルによってその効果には差が出る。そこで更に、ＡＣ情報データの異変がチェックされると、コンシェルジェセンター（３）の設置とそこに配置されるコンシェルジェ（５）によって、本人への確認等の遠隔支援により、情報収集の改善を図り、ＡＣ情報の自動処理では対応不可能なレベルの木目の細かい評価伝達、アドバイスを補足的に行うことができる。ここで、コンシェルジェは、ＡＣに関する教育を受け、コンシェルジェセンターでの業務を遂行できる一定の能力を備えた人材を指す。【００１１】コンシェルジェセンター（３）では、ウォークイン機能により、会員が当該施設へ訪問し、ＡＣ情報の獲得、運動・会話・生きがい等に関する体験を得ることができる機能を持つことで、会員のＡＣ情報の把握、認識に加え、実際の生活行動パターンの改善や維持のための手段を支援する方法である。サロン的な交流の場や運動介入に関する教室の設置や興味のある施設サービスを設置して、活動的なＡＣ活力の向上する生活を支援する。常に、このコンシェルジェセンターのウォークイン機能を活用するように会員に働きかける方法である。【００１２】しかし、上述の方法でも個人の生活パターン全体への支援には限界がある。ＡＣ支援としての会員の生活パターン改善とその定着化のためには、その地域コア内またはその周辺も含めた生活街区での積極的な外出や活動への参画を誘導する街づくりが重要となる。そのためには、安心安全な歩行環境のインフラ整備と運動量を確保するための外出の目的が常に選択できる街区の魅力ある都市機能の整備が必要となる。それには、公的行政等からのアプローチとＮＰＯやボランティア等による地場からの環境整備に多角的に働きかけ連携する方法が重要である。【００１３】と同時に地域コアとしての自主的な設置を当該地域に行う等の方法である。すなわち、歩行を個別に支援する装置（歩行を補助する装置や車椅子や電動車等）又は簡易型不定期乗り合い自動車、バスとの併用にてコンシェルジェセンターへの移動を支援する事例や、自宅からコンシェルジェセンター（３）や生活街区内の主要な施設までの区間の歩道環境に関して、バリアフリー、（少なくとも５００ｍ毎に点在する）休憩用ベンチ、またトイレ、雨宿り、休憩できる店舗等に関して、安全歩行、休憩と飲料・食事の摂取・排泄設備等が計画的に配置されている事例等のインフラ整備とコンシェルジェセンターからの発信等である。
【発明の効果】
【００１４】会員のＡＣ情報の把握、認識は、自分自身のＡＣ情報が繰り返し提供されることで、その概念が固定すると同時に、そのＡＣ状態を改善したり、維持したりする意識付けが可能となり、自覚症状がなく刺激の少ないＡＣ状態に正確に対処する方法が提供されている。【００１５】次がＡＣ状態の維持又は改善に関する積極的な手段の提供であり、主として遠隔支援での情報の提供とコンシェルジェセンター（３）でのウォークイン機能により、センターへの外出やそこでの色々な行事への参画等を誘導する効果が期待できる。【００１６】、更に、三番目は、ＡＣ活動の定着に関する効果であるが、会員が自分の居住地区である生活街区に歩行移動を主体として外出するには、特に高齢者になればその分だけ歩行に不安を持つ傾向が強くなる。従って、歩道の安全安心の環境づくりと機能の付与は、外出の前提条件として大きな効果を持つ。コンシェルジェセンターでの地域情報入手できるサービス等の利用によって、出かけてみようとの行動が増加することで、都市としての機能への活用が相乗効果として期待できる。会員が自分の考え方ややり方で生活街区と交流することを支援することが期待できる。
【実施例】
【００１７】図１、２，５等に地域コアシステムの実施例を示す。地域コア（１）はコンシェルジェセンター（３）がほぼその地区の中心に位置し、地域コア内の会員（２）の自宅（６）からの距離が１．５ｋｍ以内であるか、歩行で移動可能な距離である。やや距離のある場合は、歩行を補助するに準じる移動補助装置、簡易移動バスや公共交通機関等の利用も考慮に入れることができる。【００１８】自宅（６）には、通信機能付又はそれに準じる機能が付与されている各種センサー（８）が設置され、自宅内の移動チェック用のタグセンサー等、その他行動が感知できる各種センサーを備え、自宅内のバイタルセンサーとして、床マットセンサーで脈拍や呼吸等の測定、血圧、脈拍、体組成計、血糖値計、体重計等による測定を行う。また可能であれば、体動計と一部バイタルセンサーは携帯型（９）の利用も行う。これらの測定データは通信機能を介してＡＣ情報を蓄積するサーバー（４）に蓄えられ、個人情報保護のためのセキュリティ管理の下に置かれる。同時に、図３に示すような情報処理を行い、個別の測定値またはその換算値の評価を行い自動アンサー（７）の機能を活用できるように設定されている。【００１９】また、会員（２）が外出し、移動中の場合は、携帯用センサー（９）を携帯し、しかるべき通信機能を介してそれらの測定されるＡＣ情報を通信によりサーバー（４）に送付する。【００２０】場合によっては、図５のような地域コア周辺での監視カメラとタグ（１３）による外出支援が可能となる。位置センサー箇所（１３）を通過する会員を特定し、主としてコンシェルジェセンター（３）より歩行移動やＡＣ情報の変化等に関して安心安全移動へのアドバイス、ナビゲーション等の機能を付加できるものとし、更に、記録された映像は、児童追跡、防犯等の地域の安心安全に寄与する機能として活用することができる。【００２１】コンシェルジェセンターには、コンシェルジェが配置され、ＡＣ情報の計測に関するアシストから自動アンサーからのＡＣ情報への説明、アドバイス等を遠隔、対面で受けることができ、会員の外出への支援として、生活街区での情報等が受け取れる。【００２２】また、外出を奨励するため、コンシェルジェセンターへの原則歩行による訪問を推奨しており、ウォーキング機能をコンシェルジェセンターに設置している。前述のように、会員のＡＣ情報の把握、認識に加え、実際の生活行動パターンの改善や維持のための手段を支援する方法である。サロン的な交流の場や運動介入に関する教室の設置や興味のある施設サービスを設置して、活動的なＡＣ活力の向上する生活を支援する。【００２３】本システムの付随的な機能として、より広い地区でのＡＣ支援を行うため、単独での地域コアシステム（１）だけでなく、複合的な地域コアシステムも提案している。図４に示すように、コアとなる主要な地域コアを中心にいくつかの隣接している地域コアを有機的に組合せ、より広く多くの地域の会員間でも交流が可能となる総合的なシステムである。この場合には、歩行移動可能な距離を超える場合が多いため、各地域コア（１）のコンシェルジェセンター（３）又はそれに準じる拠点間を移動する簡易移動バス等の移動補助手段を用意する。【００２４】これは、対象地区の人口密度が低い地域での地域コアの設定にも同じ手法が用いられる。また、図５に示すように、会員（２）の遠隔にいる家族へのサービスとして、会員のＡＣに関する情報や外出や非常時の対応等を設置されているセンサー類の情報から適切に対処し、同時に家族へのそれらＡＣ情報の伝達、閲覧が可能なシステムを提案している。
【産業上の利用可能性】
【００２５】現在では、高齢化社会が進んでおり、高齢者の健康・抗加齢への意識は高く、高い経費をかけても取り入れたいとする傾向が強い。しかし、高度のＡＣ支援を総合的に行う事業では、そのためのコストが高くなり、富裕層には受け入れられビジネス的には受け入れられる可能性は大きいが、中途半端のコストでは、ＡＣ支援の質が低下し、一般には受け入れられない。【００２６】現在の一般的なＡＣ支援は、単機能のものが多く、その効果も限定的である。総合的効果を期待する場合は、いくつかの機能を複数選択する必要があり、割高になる。一時的には受け入れられても、短期間での中止せざるを得ない場合が多くなる。抗加齢・老化防止は、その人の生活に定着させ、長期にわたる安定した対応が求められる。【００２７】本提案システムは、三段階のステップで順次補完されることにより、そのＡＣ支援の効果を高め、ユビキタス技術等の人件費をかけない低コストで、地域コアでの集団としての効率の良い手法と同時に会員同士のコミュニティによる効果も期待でき、低コストとＡＣ支援の質の向上の両立を実現できる可能性を有している。
【図面の簡単な説明】
【００２８】
【図１】は、基本的なＡＣ支援システムとしての地域コアの構成を示している。
【図２】は、同様な地域コアの事例であるが、各要素をより詳細に示している。
【図３】は、ＡＣ情報のセンサーによる収得からサーバーでの自動アンサーエンジンによる情報処理及びＡＣに関する評価指標に関する算出処理までのフローが示してある。
【図４】は、複数の地域コアの連携による複合システムの構成図である。
【図５】には、歩行外出移動を支援する監視カメラとタグセンサーの地域配置や遠隔家族へのサービス等の追加機能を取り入れた事例を示す。
【符号の説明】
【００２９】１    地域コア
２    会員
３    コンシェルジェセンター
４    サーバー
５    コンシェルジェ
６    自宅
７    自動アンサー
８    定置式センサー
９    携帯式センサー
１０  遊歩道
１１  簡易移動バス
１２  家族（会員の）
１３  監視カメラ
【図１】
2010287195.tif 000003
【図２】
2010287195.tif 000004
【図３】
2010287195.tif 000005
【図４】
2010287195.tif 000006
【図５】
2010287195.tif 000007